(57)【要約】【課題】  ネットワークに接続された外部機器にコンテンツ配信する機能および家電機能を有する電子機器、システムおよび制御方法を提供する。【解決手段】  ネットワーク機能付照明サーバはコンテンツを再生可能なネットワーク機能付ＡＶプレーヤとネットワークを介して接続され家電機能部である照明部を有する。ネットワーク機能付照明サーバは、ネットワークＡＶプレーヤからの照明部にて実行される制御内容について示すコンテンツの配信要求に応じて、ネットワークＡＶプレーヤにこのコンテンツを送信する。さらに、ネットワーク機能付照明サーバは照明部をコンテンツに示されている制御内容に基づいて制御する。ネットワーク機能付ＡＶプレーヤは照明部にて実行される制御内容について示すコンテンツを受信し再生する。【選択図】      図４
2008009925.tif 000002
【特許請求の範囲】
【請求項１】
コンテンツを再生可能な外部機器とネットワークを介して接続され、家電機能部を有する電子機器において、
前記外部機器からの要求に応じて、前記家電機能部にて実行される制御内容について示すコンテンツを前記外部機器に送信する送信手段と、
前記コンテンツの前記外部機器への送信に応じて、前記コンテンツに示される前記制御内容に基づいて前記家電機能部を制御する制御手段と、
を具備することを特徴とする電子機器。
【請求項２】
前記制御手段は、前記送信手段による前記コンテンツの前記外部機器への送信を開始し所定の時間が経過した後に、前記制御内容に基づいて前記家電機能部を制御する手段であることを特徴とする請求項１記載の電子機器。
【請求項３】
前記所定の時間は、前記送信手段による前記コンテンツの一部の前記外部機器への送信に要する時間よりも長い時間であることを特徴とする請求項２記載の電子機器。
【請求項４】
家電機能部を有するサーバ機器とこのサーバ機器とネットワークを介して接続されるクライアント機器とで構成されるシステムにおいて、
前記サーバ機器は、
前記クライアント機器からの要求に応じて、前記家電機能部にて実行される制御内容について示すコンテンツを前記クライアント機器に送信する送信手段と、
前記コンテンツの前記クライアント機器への送信に応じて、前記コンテンツに示される前記制御内容に基づいて前記家電機能部を制御する制御手段と、を具備し、
前記クライアント機器は、
前記サーバ機器から送信された前記コンテンツを受信する受信手段と、
前記受信手段によって受信された前記コンテンツを再生する再生手段と、
を具備することを特徴とするシステム。
【請求項５】
前記制御手段は、前記送信手段による前記コンテンツの前記外部機器への送信を開始し所定の時間が経過した後に、前記制御内容に基づいて前記家電機能部を制御する手段であることを特徴とする請求項４記載のシステム。
【請求項６】
前記所定の時間は、前記送信手段による前記コンテンツの一部の前記外部機器への送信に要する時間よりも長い時間であることを特徴とする請求項５記載のシステム。
【請求項７】
コンテンツを再生可能な外部機器とネットワークを介して接続され、家電機能部を有する電子機器にて実行される制御方法において、
前記外部機器からの要求に応じて、前記家電機能部にて実行される制御内容について示すコンテンツを前記外部機器に送信し、
前記コンテンツの前記外部機器への送信に応じて、前記コンテンツに示される前記制御内容に基づいて前記家電機能部を制御する、
ことを具備することを特徴とする制御方法。
【請求項８】
前記コンテンツの前記外部機器への送信を開始し所定の時間が経過した後に、前記制御内容に基づいて前記家電機能部を制御することを特徴とする請求項７記載の制御方法。
【請求項９】
前記所定の時間は、前記コンテンツの一部の前記外部機器への送信に要する時間よりも長い時間であることを特徴とする請求項８記載の制御方法。
【発明の詳細な説明】
【技術分野】
【０００１】
本発明は、コンテンツ配信技術に関する。
【背景技術】
【０００２】
近年、UPnP（Universal Plug and Play）、HTTP（HyperText Transfer Protocol）などの既存のネットワーク技術をベースとしたDLNA（Digital Living Network Alliance）ガイドライン準拠のAV機器やPCの開発が進んでいる。DLNAガイドラインに準拠している機器であれば、異なるメーカ間、異なる種類の機器の間で、映像、音楽、画像といったコンテンツの伝送が可能である。
【０００３】
例えばLAN（Local Area Network）といったネットワークに、コンテンツを格納したサーバ機器と、サーバ機器に格納されるコンテンツを再生するクライアント機器とを接続する構成にしておくと、例えばクライアント機器から離れた場所に設置されているサーバ機器に格納されているコンテンツをネットワークを介してクライアント機器に伝送し、クライアント機器にて伝送されたコンテンツを再生することが可能である。
【０００４】
一方、照明機器や洗濯機といった所謂家電機器をネットワークを介してリモート制御する方法について、近年、様々なリモート制御方法が提案されている。例えば、特許文献１に開示されているように、コンピュータがインターネットを介して家内に設置されているエアコン、ステレオ、テレビ、ビデオといった電気機器を制御するといった技術があった。
【特許文献１】特表２００２−１８６０６７号公報
【発明の開示】
【発明が解決しようとする課題】
【０００５】
特許文献１には、家内に設置されているエアコンといった所謂家電機器およびテレビ、ビデオといったＡＶ機器をともに家外からリモートコントロールする方法が説明されている。
【０００６】
しかしながら、今後、例えばDLNAガイドライン準拠のAV機器やPCのみならず、例えばDLNAガイドライン準拠の家電機器の開発が進み、家内にてAV機器やPCが接続されるネットワークに家電機器も同様に接続可能となれば、家電機器のリモートコントロール技術がさらに普及するであろうと予想される。
【０００７】
本発明は上記実情に鑑みてなされたものであり、ネットワークに接続された外部機器にコンテンツ配信する機能および家電機能を有する電子機器、システムおよび制御方法を提供することを目的とする。
【課題を解決するための手段】
【０００８】
本発明に係る電子機器は、コンテンツを再生可能な外部機器とネットワークを介して接続され、家電機能部を有する電子機器において、前記外部機器からの要求に応じて、前記家電機能部にて実行される制御内容について示すコンテンツを前記外部機器に送信する送信手段と、前記コンテンツの前記外部機器への送信に応じて、前記コンテンツに示される前記制御内容に基づいて前記家電機能部を制御する制御手段と、を具備することを特徴とする。
【０００９】
本発明に係るシステムは、家電機能部を有するサーバ機器とこのサーバ機器とネットワークを介して接続されるクライアント機器とで構成されるシステムにおいて、前記サーバ機器は、前記クライアント機器からの要求に応じて、前記家電機能部にて実行される制御内容について示すコンテンツを前記クライアント機器に送信する送信手段と、前記コンテンツの前記クライアント機器への送信に応じて、前記コンテンツに示される前記制御内容に基づいて前記家電機能部を制御する制御手段と、を具備し、前記クライアント機器は、前記サーバ機器から送信された前記コンテンツを受信する受信手段と、前記受信手段によって受信された前記コンテンツを再生する再生手段と、を具備することを特徴とする。
【００１０】
本発明に係る制御方法は、コンテンツを再生可能な外部機器とネットワークを介して接続され、家電機能部を有する電子機器にて実行される制御方法において、前記外部機器からの要求に応じて、前記家電機能部にて実行される制御内容について示すコンテンツを前記外部機器に送信し、前記コンテンツの前記外部機器への送信に応じて、前記コンテンツに示される前記制御内容に基づいて前記家電機能部を制御する、ことを具備することを特徴とする。
【発明の効果】
【００１１】
ネットワークに接続された外部機器にコンテンツ配信する機能および家電機能を有する電子機器、システムおよび制御方法を提供することが可能となる。
【発明を実施するための最良の形態】
【００１２】
図１は、ホームネットワークシステムの構成の一例を示す図である。
【００１３】
本ネットワークシステムは、ネットワーク照明サーバ１、第１のネットワークＡＶ（Audio & Visual）サーバ２、第２のネットワークＡＶ（Audio & Visual）サーバ３、ＨＵＢ４、ネットワークＡＶ（Audio & Visual）プレーヤ５とから構成される。ネットワーク照明サーバ１、第１のネットワークＡＶサーバ２、第２のネットワークＡＶサーバ３およびネットワークＡＶプレーヤ５はＨＵＢ４に接続されている。また、ネットワークＡＶプレーや５にはディスプレイ６が接続されている。
【００１４】
ネットワークＡＶプレーヤ５は、ネットワーク照明サーバ１、第１のネットワークＡＶサーバ２および第２のネットワークＡＶサーバ３から伝送されるコンテンツデータを受信する。
【００１５】
ネットワーク照明サーバ１はネットワーク機能が実装された家電機器であり、家電機能である照明機能およびネットワーク機能を有する。ネットワーク照明サーバ１は、ネットワークに接続されている電子機器に対して、ネットワーク照明サーバ１の有する照明機能を示すコンテンツデータを送信する。このネットワーク照明サーバ１から送信されるコンテンツデータについては後述にて詳細に説明する。
【００１６】
第１のネットワークＡＶサーバ２および第２のネットワークＡＶサーバ３は、映像、音楽、画像といったコンテンツデータをネットワークに接続されている機器に送信する機能を有する。第１のネットワークＡＶサーバ２、第２のネットワークＡＶサーバ３として、例えば、ＤＶＤドライブやハードディスクドライブといった記憶媒体を搭載したパーソナルコンピュータやデジタルテレビ、ハードディスクレコーダ等が挙げられる。
【００１７】
ネットワーク照明サーバ１、第１のネットワークＡＶサーバ２および第２のネットワークＡＶサーバ３は、例えば、DLNA（Digital Living Network Alliance）のガイドラインに準拠したDMS（Digital Media Server）の役割を有する。DLNAガイドラインでは、機器メーカを問わず機器間におけるネットワークを介した相互接続性が取り決められている。
【００１８】
ネットワークＡＶプレーヤ５は、ネットワーク照明サーバ１、第１のネットワークＡＶサーバ２および第２のネットワークＡＶサーバ３といったネットワークに接続されている機器から伝送されるコンテンツデータを受信し、これらの受信したコンテンツデータを再生してディスプレイ６に表示する。ネットワークＡＶプレーヤ５は、例えば、DLNA（Digital Living Network Alliance）のガイドラインに準拠したDMP（Digital Media Player）の役割を有する。
【００１９】
図２は、ネットワーク照明サーバ１のシステムブロックの一例を示した図である。
【００２０】
ネットワーク照明サーバ１は、家電機能部１０とネットワーク機能部２０とから構成される。
【００２１】
家電機能部１０は、照明部１１と照明部１１を制御するコントローラ１２とから構成される。例えば、ネットワーク照明サーバ１といった照明機器の場合、電球、蛍光灯、ＬＥＤ等が照明部１１に相当する。
【００２２】
コントローラ１２は、コントローラ１２に接続されている操作スイッチ１３のユーザによる操作に応じて、スイッチON/OFF、電圧値、電流値等を制御することにより、照明部１１を制御する。例えばネットワーク照明サーバ１といった照明機器の場合、コントローラ１２は照明のON/OFF、光度の調節等を行う。また、コントローラ１２は、後述にて説明するネットワーク機能部２０との通信機能を有し、ユーザによる操作スイッチ１３の操作による指示だけではなく、ネットワーク機能部２０による制御内容の指示を受けつける。
【００２３】
ネットワーク機能部２０は、ＣＰＵ２１、ＲＡＭ２２、ＮＶ(Non-Volatile：不揮発性)メモリ２３、ＨＤＤ２４、ネットワークインタフェース２５、Ｂｕｓ  Ｂｒｉｄｇｅ２６等がバスで接続された構成となっている。
【００２４】
ＣＰＵ２１はネットワーク機能部２０全体を制御する。ＲＡＭ２２にはＨＤＤ２４に格納されているデータ等がＣＰＵ２１によって展開される。ＮＶメモリ２３にはブートイメージが格納されている。ＨＤＤ２４にはプログラム等のデータが格納される。ネットワークインタフェース２５にはネットワークケーブルコネクタ２７が接続される。ネットワークケーブルコネクタ２７にはユーザによってネットワークケーブルが接続される。Ｂｕｓ  Ｂｒｉｄｇｅ２６はコントローラ１２と接続され、ネットワーク機能部２０と家電機能部１０とを接続する。
【００２５】
ネットワーク機能部２０は、DLNAのガイドラインに準拠した、サーバ(DMS:Digital Media Server)機能を実現する。
【００２６】
ネットワーク機能部２０によって実現されるサーバ機能によって、家電機能部１０にて実現される家電機能について示すコンテンツ（以下、家電機能表示コンテンツと称す。）がネットワークに接続された電子機器、例えば図１を用いて説明したネットワークＡＶプレーヤ５に伝送される。
【００２７】
家電機能部１０にて実現される家電機能について示すコンテンツは、ネットワーク照明サーバ１の場合、家電機能部１０にて実現される機能は照明機能であるので、照明機能について示すコンテンツ、例えば照明部１１を"全点灯"、照明部１１の点灯度を"点灯５０％"、照明部１１の点灯度を"点灯５％"、照明部１１を"消灯"といった"照明の点灯度合"を示すコンテンツである。家電機能表示コンテンツとして、実画像、アニメーション、文字、ナレーションといった内容（これらの組み合わせも可）が考えられる。尚、このコンテンツは例えばＨＤＤ２４に格納されている。
【００２８】
図３は、ネットワーク照明サーバ１の有する家電機能表示コンテンツと照明部１１へ送信される制御コマンドとの関係を示すテーブルの一例を示す図である。
【００２９】
図３に示されるテーブルｔａｂ１はＨＤＤ２４またはＮＶメモリ２３に格納されており、ＣＰＵ２１によってＲＡＭ２２に展開される。
【００３０】
テーブルｔａｂ１は、家電機能部１０にて実現される機能について示すコンテンツ（家電機能表示コンテンツ）とこの家電機能表示コンテンツがネットワークに接続されている電子機器に伝送された場合に家電機能部１０内のコントローラ１２へ送信されるコマンドとを対応づけている。
【００３１】
例えば、"家電機能表示コンテンツ"の値が"全点灯"と"家電機器へのコマンド"の値が"ＣＯＭＭＡＮＤ  Ａ"とが対応付けられている。
【００３２】
このテーブルｔａｂ１の内容にしたがって、ネットワーク照明サーバ１のＣＰＵ２１が"全点灯"という内容の"家電機能表示コンテンツ"をネットワークＡＶプレーヤ５に伝送する場合、ＣＰＵ２１はコントローラ１２へ「ＣＯＭＭＡＮＤ  Ａ」というコマンドを伝送する。
【００３３】
なお、コントローラ１２が図３にて説明されている各コマンドを受信した場合に、家電制御部１０のコントローラ１２がどのように照明部１１といった被制御機能部を制御するかについては、あらかじめ定義されている。次に、ネットワーク照明サーバ１およびネットワークＡＶプレーヤ５にて行われる制御について説明する。
【００３４】
図４は、ネットワークＡＶプレーヤ５を使用してネットワークに接続されているネットワーク照明サーバ１を制御する手順の一例を示す流れ図である。
【００３５】
図５は、ネットワークＡＶプレーヤ５に設けられるディスプレイ６に表示される、ネットワークに接続されているサーバ機器一覧を示す画面の一例を示す図である。
【００３６】
図６は、ネットワークＡＶプレーヤ５に設けられるディスプレイ６に表示される、ネットワーク照明サーバ１が有する家電機能表示コンテンツの一覧を示す画面の一例を示す図である。
【００３７】
ユーザはネットワークＡＶプレーヤ５に設けられるディスプレイ６に表示されるＧＵＩ（Graphical User Interface）を使用して、ネットワーク照明サーバ１を制御する。このＧＵＩの一例としては、図５に示すように、ネットワークに接続されている例えば「サーバ機器一覧」を示す画面ｄｉｓ１である。図５では、ネットワーク照明サーバ１、第１のネットワークＡＶサーバ２および第２のネットワークＡＶサーバ３の３機器がネットワークに接続されていることを示している。
【００３８】
ユーザは「サーバ機器一覧」から、操作対象のサーバ機器を選択する。例えば、ユーザはネットワーク照明サーバ１を選択する。「サーバ機器一覧」の中から該当のサーバ機器の選択は、ネットワークＡＶプレーヤ５に設けられるディスプレイ６に表示されるＧＵＩをリモコン等使用して行われる。
【００３９】
ユーザの機器選択操作に応じて、ネットワークＡＶプレーヤ５は操作対象となるサーバ機器を選択する（ステップ  Ｓ１００）。
【００４０】
さらに、図６に示すように、ネットワークＡＶプレーヤ５はディスプレイ６に、ステップＳ１０６にて選択したサーバ機器の有する「家電機能表示コンテンツの一覧」を表示する。例えば、ユーザがステップＳ１０６にて、ネットワーク照明サーバ１を選択した場合、ディスプレイ６にネットワーク照明サーバ１が有する「家電機能表示コンテンツの一覧」を表示する（ステップ  Ｓ１０１）。
【００４１】
ユーザは、「家電機能表示コンテンツの一覧」から、ネットワーク照明サーバ１に実行させたい動作を示すコンテンツを選択する。例えば、ネットワーク照明サーバ１１の照明部１１を完全に点灯させたい場合、ユーザは「全点灯」コンテンツを、照明部１１を５０％の点灯にしたい場合、「点灯５０％」コンテンツを選択する。
【００４２】
ユーザによる、ディスプレイ６に表示されている「家電機能表示コンテンツ一覧」からの家電機能表示コンテンツの選択操作に応じて、ネットワークＡＶプレーヤ５は、ネットワーク照明サーバ１に対して、選択された家電機能表示コンテンツをネットワークＡＶプレーヤ５に伝送するよう要求する（ステップ  Ｓ１０２）。
【００４３】
ネットワーク照明サーバ１のＣＰＵ２１は、ネットワークＡＶプレーヤ５からの家電機能表示コンテンツ伝送の要求を受け付ける（ステップ  Ｓ１０３）。
【００４４】
ネットワーク照明サーバ１のＣＰＵ２１は、ネットワークＡＶプレーヤ５から伝送要求を受けた家電機能表示コンテンツをＨＤＤ２４から読み出し、パケットに分割して、ネットワークＡＶプレーヤ５に伝送を開始する（ステップ  Ｓ１０４）。
【００４５】
ネットワーク照明サーバ１のＣＰＵ２１は、ネットワークＡＶプレーヤ５に対して家電機能表示コンテンツを伝送開始すると、ネットワークＡＶプレーヤ５へのコンテンツ伝送時間の計測を開始する（ステップ  Ｓ１０５）。計測した時間が所定の時間を越えた場合（ステップ  Ｓ１０６  Ｙｅｓ）、すなわち、ネットワーク照明サーバ１のＣＰＵ２１が所定の時間に亘ってネットワークＡＶプレーヤ５にコンテンツを伝送した後、ネットワーク照明サーバ１のＣＰＵ２１は、図３を用いて説明したテーブルを参照して、ネットワークＡＶプレーヤ５に伝送した家電機能表示コンテンツに対応するコマンドを、家電機能部１０のコントローラ１２に送る（ステップ  Ｓ１０７）。
【００４６】
家電機能部１０のコントローラ１２は、ステップＳ１０７にて送られたコマンドを受け取ると、コマンドの内容に基づいて照明部１１を制御する（ステップ  Ｓ１０８）。例えば、コントローラ１２が「全点灯」コンテンツに対応づけられているコマンドを受け取ると、コントローラ１２は照明部１１を全点灯制御する。
【００４７】
ネットワークＡＶプレーヤ５は、ネットワーク照明サーバ１から送られてきた家電機能表示コンテンツを再生し、再生した映像データをディスプレイ６に表示する（ステップ  Ｓ１０９）。ディスプレイ６に表示される再生中の映像データは、照明部１１にて行われている制御（例えば「全点灯」など）がユーザに分かりやすく伝わるよう、実映像、アニメーション、文字、ナレーション等を組み号わせて作られた映像データであることが好ましい。
【００４８】
ところで、ネットワークＡＶプレーヤ５に設けられるディスプレイ６に表示される家電機能表示コンテンツ一覧の一つとして、プレビュー画像(サムネール画像とも呼ぶ)がある。
【００４９】
家電機能表示コンテンツ一覧としてプレビュー画像をネットワークＡＶプレーヤ５に設けられるディスプレイ６に表示する場合に、ネットワーク照明サーバ１といったネットワーク機能付家電機器に対して例えば家電機能表示コンテンツの一部の伝送を要求し、受信した家電機能表示コンテンツの一部を用いてプレビュー画像を作成するネットワークＡＶプレーヤがある。
【００５０】
ディスプレイ６に表示されるプレビュー画像の作成のために、ネットワークＡＶプレーヤ５からネットワーク照明サーバ１といったネットワーク機能付家電機器に家電機能表示コンテンツの一部の伝送要求が出される一例として、ネットワークＡＶプレーヤ５がネットワーク照明サーバ１に対して、「全点灯」「点灯５０％」「点灯５％」「消灯」夫々の家電機能表示コンテンツの一部をネットワークＡＶプレーヤ５に伝送するように連続して要求する。
【００５１】
もし、ネットワーク照明サーバ１が、ネットワークＡＶプレーヤ５から送信された家電機能表示コンテンツの一部の伝送要求を受け取った後、ネットワークＡＶプレーヤ５に家電機能表示コンテンツの一部の伝送を開始するとともに、ネットワーク照明サーバ１の照明部１１の制御を行う場合、ネットワーク照明サーバ１は、ネットワークＡＶプレーヤ５からの夫々の家電機能表示コンテンツの一部の伝送要求に応じて、コントローラ１２を用いて照明部１１を制御する。この場合、照明部１１は連続して「全点灯」「点灯５０％」「点灯５％」「消灯」することになる。このように、ネットワークＡＶプレーヤ５がプレビュー画像を作成するために、ユーザの意図に反して、ネットワーク照明サーバ１といったネットワーク機能付家電機器が制御されてしまうことになる。
【００５２】
しかしながら、図４を用いて説明した流れ図のステップＳ１０５、ステップＳ１０６およびステップＳ１０７にて説明したとおり、ネットワーク照明サーバ１の構成を、ネットワークＡＶプレーヤ５に家電機能表示コンテンツを伝送開始すると、ネットワークＡＶプレーヤ５へのコンテンツ伝送時間を計測開始し、計測した時間が所定の時間を越えた場合にネットワークＡＶプレーヤ５から伝送要求を受けた家電機能表示コンテンツに対応するコマンドを家電機能部１０のコントローラ１２に送る構成にすることで、ネットワークＡＶプレーヤ５がプレビュー画像を作成するためにネットワーク照明サーバ１がネットワークＡＶプレーヤ５に家電機能表示コンテンツの一部を伝送してもネットワーク照明サーバ１の照明部１１が制御されることを防ぐことが可能となる。
【００５３】
すなわち、ステップＳ１０６、ステップＳ１０７にて説明した、ネットワークＡＶプレーヤ５へのコンテンツ伝送時間を計測し、計測されたネットワークＡＶプレーヤ５へのコンテンツ伝送時間と所定の時間とを比較する処理において、所定の時間を家電機能表示コンテンツの一部の伝送時間よりも長く設定しておくことで、ネットワーク照明サーバ１といったネットワーク機能付家電機器がネットワークＡＶプレーヤ５から第１の家電機能表示コンテンツの一部の伝送要求を受けとり第１の家電機能表示コンテンツのネットワークＡＶプレーヤ５への伝送処理を終えた後、第１の家電機能表示コンテンツに対応づけられたコマンドをネットワーク照明サーバ１といったネットワーク機能付家電機器の家電機能部への送信を行うタイミングに達していないので、ネットワークＡＶプレーヤ５から第２の家電機能表示コンテンツの一部の伝送要求を受け取り第２の家電機能表示コンテンツの一部のネットワークＡＶプレーヤ５への伝送処理を開始するので、プレビュー画像を作成するために家電機能表示コンテンツの一部を連続的にネットワーク機能付家電機器からネットワークＡＶプレーヤ５に伝送しても、ネットワーク機能付家電機器側で連続的に家電機能の制御が行われることは無い。
【００５４】
上述では、ネットワークＡＶプレーヤ５がネットワーク照明サーバ１といったネットワーク機能付家電機器から伝送された家電機能表示コンテンツを用いてプレビュー画像を作成する方法を説明したが、ネットワーク機能付家電機器に家電機能表示コンテンツとは異なる別データとして予めプレビュー画像を設けておくことで、ネットワーク機能付家電機器からネットワークＡＶプレーヤ５に家電機能表示コンテンツを伝送すること無くプレビュー画像を伝送することで、ネットワーク機能付家電機器の家電機能部（例えばネットワーク照明サーバならば照明部１１）の制御を行わない構成であってもよい。
【００５５】
さらに、ネットワーク機能付家電機器が保有している家電機能表示コンテンツの一覧をネットワークＡＶプレーヤ５が取得要求した場合に、ネットワーク機能付家電機器はネットワークＡＶプレーヤ５に対して家電機能表示コンテンツとは異なるプレビュー画像も有していることを通知する構成であってもよい。
【００５６】
この場合、ネットワークＡＶプレーヤ５は、ネットワーク機能付家電機器が家電機能表示コンテンツ一覧用のプレビュー画像を有していることを認識できるので、ネットワークＡＶプレーヤ５は家電機能表示コンテンツの一覧表示のためにネットワーク機能付家電機器にプレビュー画像の伝送を要求する。したがって、ネットワークＡＶプレーヤ５はネットワーク機能付家電機器に対してプレビュー画像を作成するための家電機能表示コンテンツの伝送を要求していないので、ユーザの意図に反するネットワーク機能付家電機器側にて行われる家電機能部の制御を避けることが可能となる。
【００５７】
なお、本発明は上記実施形態そのままに限定されるものではなく、実施段階ではその要旨を逸脱しない範囲で構成要素を変形して具体化できる。また、上記実施形態に開示されている複数の構成要素の適宜な組み合わせにより、種々の発明を形成できる。例えば、実施形態に示される全構成要素から幾つかの構成要素を削除してもよい。さらに、異なる実施形態にわたる構成要素を適宜組み合わせてもよい。
【図面の簡単な説明】
【００５８】
【図１】ホームネットワークシステムの構成の一例を示す図。
【図２】ネットワーク照明サーバ１のシステムブロックの一例を示した図。
【図３】ネットワーク照明サーバ１の有する家電機能表示コンテンツと照明部１１へ送信される制御コマンドとの関係を示すテーブルの一例を示す図。
【図４】ネットワークＡＶプレーヤ５を使用して、ネットワークに接続されているネットワーク照明サーバ１を制御する手順の一例を示す流れ図。
【図５】ネットワークＡＶプレーヤ５に設けられるディスプレイに表示される、ネットワークに接続されているサーバ機器一覧を示す画面の一例を示す図。
【図６】ネットワークＡＶプレーヤ５に設けられるディスプレイに表示される、ネットワーク照明サーバ１が有する家電機能表示コンテンツの一覧を示す画面の一例を示す図。
【符号の説明】
【００５９】
１…ネットワーク照明サーバ、２…第１のネットワークＡＶサーバ、
３…第２のネットワークＡＶサーバ、４…ＨＵＢ、５…ネットワークＡＶプレーヤ、
６…ディスプレイ、
【図１】
2008009925.tif 000003
【図２】
2008009925.tif 000004
【図３】
2008009925.tif 000005
【図４】
2008009925.tif 000006
【図５】
2008009925.tif 000007
【図６】
2008009925.tif 000008